(57)【要約】本発明は、台所用フードから排出される排気ガスの中の一部を分割し、その分割されたガスを吸気口側に吐出して排気を活性化させることによって、フードの排気効率を極大化させる台所用排気フードに関するもので、その構成は、ケースの内部に排気ファンが具備され、前記排気ファンの上部側に排気口が具備されて、台所から発生されるガスを吸気口を介して吸入し、前記排気口を介して外部に排出するフードにおいて；前記排気口が分割されるように前記排気口に分割隔板が具備され、前記分割隔板の一側に分割されたガスが流通されるようにダクトが具備され、前記ダクトの端にチェンバーが具備され、前記チェンバーの端部に、その下部側に吐出口の形成される排気活性部が前記ケースに具備されて構成されるものである。
2005513407.tif 000002
【特許請求の範囲】
【請求項１】
ケース１１の内部に排気ファン１２が具備され、前記排気ファン１２の上部側に排気口１３が具備されて、台所から発生されるガスを吸気口１４を介して吸入し、前記排気口を介して外部に排出するフードにおいて；
前記排気口１３が分割されるように前記排気口１３に分割隔板２１が具備され、前記分割隔板２１の一側に分割されたガスが流通されるようにダクト２２が具備され、前記ダクト２２の端にチェンバー２３が具備され、前記チェンバー２３の端部に、その下部側に吐出口２４の形成される排気活性部２０が前記ケース１１に具備されることを特徴とする台所用排気フード。
【請求項２】
第１項において；
前記チェンバー２３は、その内側に前記ダクト２２から吐出されるガスが前記吐出口２４に移動されるようにガイド板２５が具備されることを特徴とする台所用排気フード。
【請求項３】
第１項または第２項において；
前記吐出口２４は、その下部側に吐出されるガスが前記吸気口１４の外部面に沿って水平吐出されるようにガイド顎２６が具備されることを特徴とする台所用排気フード。
【発明の詳細な説明】
〔技術的分野〕
本発明は、台所で発生する燃焼ガス、および食べ物の臭いを外部に排出する台所用排気フードに関するもので、より詳細には、台所用フードから排出される排気ガスの中の一部を分割し、その分割されたガスを吸気口側に吐出して排気を活性化させることによって、フードの排気効率を極大化させる台所用排気フードに関するものである。
【０００１】
〔背景技術〕
一般的に、台所用排気フードは台所に設置され、台所での料理の調理時に発生する燃焼ガスおよび食べ物の臭い、水蒸気などを外部に排出し、台所の空気の汚染を防止するのに使用されるものである。
【０００２】
ここで、フードの一実施例として、図５に図示されているように従来のフードを概略的に示した側面図を見てみると、ガスレンジ２００の上部側に設置され、ガスレンジ２００から発生されるガス、および料理の調理時に発生されるガスを吸入して外部に排出するフード１００は、前記ガスレンジ２００の上面に対応する側に吸気口１０１が具備され、その内部に排気ファン１０２が具備され、前記排気ファン１０２に連結されて外部に排出させる排気口１０３から構成されるものである。
【０００３】
ところが、前記のフードは、図５に図示したガスの気流を示す矢印のように、ガスレンジの燃焼ガスと料理の調理時に発生する排出ガスの一部が、フードを介して完全に排出されず、室内に残留するという問題点がある。
【０００４】
また、前記のように室内に残留することになる排出ガスは、室内の空気を汚染させ、料理の調理時に発生する食べ物の臭いを室内全体に拡散させることになるという問題点がある。
【０００５】
また、密閉された台所や室内では、フードによって空気が外部に排出されるため、台所や室内の気圧が低くなってフードの排出力が落ち、それに伴い排出ガスの円滑な排出が成されなくなるという問題点がある。
【０００６】
〔発明の詳細な説明〕
そこで、本発明は、前記のような従来の諸般問題点を解消するために案出されたもので、その目的は、台所用フードから排出される排気ガスの中の一部を分割し、その分割されたガスを吸気口側に吐出して排気を活性化させることによって、フードの排気効率を極大化させる台所用排気フードを提供することにある。
【０００７】
また、本発明の目的は、分割されたガスがダクトから吐出口側に容易に移動されるようにする台所用排気フードを提供することにある。
【０００８】
また、本発明の目的は、分割されたガスが吐出口から吸気口に水平に吐出されるようにする台所用排気フードを提供することにある。
【０００９】
前記のような目的を達成するために、本発明は、ケースの内部に排気ファンが具備され、前記排気ファンの上部側に排気口が具備されて、台所から発生されるガスを吸気口を介して吸入し、前記排気口を介して外部に排出するフードにおいて；前記排気口が分割されるように前記排気口に分割隔板が具備され、前記分割隔板の一側に分割されたガスが流通されるようにダクトが具備され、前記ダクトの端にチェンバーが具備され、前記チェンバーの端部に、その下部側に吐出口の形成される排気活性部が前記ケースに具備されることを特徴とするものである。
【００１０】
また、前記チェンバーは、その内側に前記ダクトから吐出されるガスが前記吐出口に移動されるようにガイド板が具備されることを特徴とするものである。
【００１１】
また、前記吐出口は、その下部側に吐出されるガスが前記吸気口の外部面に沿って水平吐出されるようにガイド顎が具備されることを特徴とするものである。
【００１２】
〔実施例〕
以下、添付の図面を参照に、本発明の好ましい一実施例を詳細に説明する。
【００１３】
図１に図示されているように、本発明によるフードの斜視図で本発明の構成を見てみると、フード１は公知の排気部１０に排気活性部２０が具備されて構成されるのだが、前記排気部１０は、ケース１１の内部に排気ファン１２が構成され、前記ケース１１に台所の排出ガスが吸入される吸気口１４が具備され、前記排気ファン１２の外側に排出ガスを排出する排気口１３が具備されて構成されるものである。
【００１４】
そして、前記排気活性部２０は、前記排気口１３から排出されるガスの一部を分割する分割隔板２１が前記排気口１３に具備され、前記分割隔板２１により分割されたガスが流通されるようにダクト２２が具備され、前記ダクト２２の端に前記ケース１１に内蔵されるチェンバー２３が具備され、前記チェンバー２３の端に吐出口２４が形成され、前記ケース１１の内部に、前記ダクト２２から吐出されるガスを前記吐出口２４に案内する一対のガイド板２５が具備されて構成されるものである。
【００１５】
ここで、前記排気活性部２０は、台所から排出されるガスを活性化させ、前記吸気口１４側に円滑に吸入されるようにする役割をするものである。
【００１６】
また、前記分割隔板２１は、前記排気口１３から排出されるガスの一部を前記排気活性部２０側に分割させる役割をするもので、前記分割隔板２１により分割されるガスは、排出されるガス全体の１０乃至２０％程度にするのが好ましいものである。
【００１７】
また、前記ダクト２２は、前記分割隔板２１により分割されたガスを前記チェンバー２３側に移送させる流通路の役割をするものである。
【００１８】
また、前記チェンバー２３は、分割されたガスが捕集される空間の役割をするもので、前記ケース１１の内部に具備されるのが好ましいものである。
【００１９】
また、前記吐出口２４は、前記チェンバー２３に捕集されたガスが排出される出口で、前記フード１の下部の前方側に具備されるのが好ましく、その理由は、前記フード１の前方側の下部にガスを噴出して、台所から発生されるガスが室内に流動されることを遮断しながら台所から排出されるガスを活性化させ、前記排気ファン１２による前記吸気口１４の吸入力を上昇させるためのものである。
【００２０】
また、前記ガイド板２５は、前記ダクト２２の端が付着される前記チェンバー２３の内部に具備され、前記吐出口２４側に斜めに具備されて、前記ダクト２２から吐出されるガスが円滑に前記吐出口２４に移動されるようにする役割をするものである。
【００２１】
従って、前記排気ファン１２によって吸入される排出ガスは、前記分割隔板２１によりその一部が分割されて前記ダクト２２に流れ、前記ダクトから前記チェンバー２３に捕集されるのだが、前記ガイド板２５により誘導されて前記吐出口２４に送られ、前記吐出口２４から前記フード１の前方下部側に排出されることによって、台所から発生されるガスを活性化させ、前記吸入口１４に容易に吸入されるようにするのである。
【００２２】
従って、前記排気活性部２０は、前記排気ファン１２によって排出されるガスの一部で前記排気ファン１２の排気力を強化させ、それにより前記フード１の排気効率が極大化されるようにするのである。
【００２３】
図２に図示されているように、本発明によるフードの側断面図を見てみると、フード１は公知の排気部１０に排気活性部２０が具備されているのだが、前記排気部１０は、ケース１１の内部に排気ファン１２が具備され、前記排気ファン１２の下部側に吸気口１４が具備され、前記排気ファン１２の上部側に排気口１３が具備されて構成されるものである。
【００２４】
そして、前記排気活性部２０は、前記排気口１３を縦に分割する分割隔板２１が具備され、前記分割隔板２１から前記ケース１１の外側にダクト２２が具備され、前記ダクト２２の下部側の端にガイド板２５が内設されるチェンバー２３が前記ケース１１の内側に具備され、前記チェンバー２３の端に、前記フード１の下面に分割されたガスが噴射されるように吐出口２４が具備されて構成されるものである。
【００２５】
ここで、前記分割隔板２１により分割されたガスは、前記ダクト２２を介して前記チェンバー２３に捕集され、前記ガイド板２５によって前記吐出口２４に容易に流動され、前記吐出口２４から前記フード１の下部側に噴射されるのである。
【００２６】
従って、前記吐出口２４は、前記フード１の下面の前方側に形成されるのが好ましいのだが、その理由は、前記フード１の下部側で発生する排出ガスが台所や室内に流入されないように、前記吐出口２４から噴出されるガスがエアーカーテンの役割をすると同時に、排出ガスが容易に前記吸気口１４に流入されるように活性化させる役割もするのである。
【００２７】
従って、全体的に本発明は、前記排気部１０に前記排気活性部２０が具備されて、前記排気部１０によって外部に排出されるガスの一部を前記排気活性部２０を介して内側に吐出させ、前記吸気口１４に流入される排出ガスを活性化させることによって、前記排気部１０の排気効率を極大化させ、それによって台所および室内の環境が著しく改善されるようになるのである。
【００２８】
図３に図示したように、本発明によるフードの使用状態を示す側断面図を見てみると、前記図３に図示された矢印は台所のガスレンジ２から排出されるガスの流れを示すものであるのだが、前記の矢印の方向に沿って前記ガスレンジ２から排出されるガスは、フード１の排気ファン１２の吸入力で吸気口１４を介して排気口１３に排出される過程で、その一部の排出ガスが分割隔板２１により分割され、ダクト２２を介して室内側に流入されてチェンバー２３に集まり、前記チェンバー２３から吐出口２４を介して前記フード１の下面の前方側から下の方に吐出されるのである。
【００２９】
この時、前記吐出口２４への排出ガスの吐出によって台所のガスレンジ２から発生される排出ガスが吸気口１４側に容易に誘導され、前記排気ファン１２の排気効率が極大化され、それによって前記フード１の全体的な排気効率を増加させ、室内の環境が著しく改善されるのである。
【００３０】
並びに、前記フード１の下面の前方側から下部側に吐出されるガスは、前記ガスレンジ２の排出ガスが室内側に流動されたり、拡散されないように防いでくれるエアーカーテンの役割も同時にするのである。
【００３１】
従って、台所から発生するガスは前記吐出口２４から噴射されるガスによって活性化され容易に排出されながら、同時に室内に流動されることが防げて、台所のガスレンジ２から発生される燃焼ガスと、前記ガスレンジ２で料理を調理するときに発生する食べ物の臭いが室内に流入されたり、拡散されることが完全に防止され、室内環境が改善されるのである。
【００３２】
図４に図示されているように、本発明の他の実施例を示す側断面図を見てみると、フード１は公知の排気部１０に排気活性部２０が具備されて構成されるのだが、前記排気部１０は、ケース１１の内部に排気ファン１２が具備され、前記排気ファン１２の下部側に吸気口１４が具備され、前記排気ファン１２の上部側に排気口１３が具備されて構成されるものである。
【００３３】
そして、前記排気活性部２０は、前記排気口１３を縦に分割する分割隔板２１が具備され、前記分割隔板２１から前記ケース１１の外側にダクト２２が具備され、前記ダクト２２の下部側の端にガイド板２５が内設されるチェンバー２３が前記ケース１１の内側に具備され、前記チェンバー２３の端に、前記フード１の下面に分割されたガスが噴射されるように吐出口２４が具備されて構成されるものである。
【００３４】
そして、前記吐出口２４から噴射されるガスが水平に流動されるように、前記吐出口２４の端にガイド顎２６が付着されるものである。
【００３５】
従って、前記ガイド顎２６は、前記吸気口１４の外部面に沿って水平にガスが噴射されるようにL字型に具備されるのが好ましいものである。
【００３６】
ここで、前記吐出口２４から吐出されるガスが前記ガイド顎２６によって前記吸入口１４側に水平噴射されることによって、前記吸気口１４の外部面の圧力を上昇させ、それによって前記吸気口１４の内側と外側の圧力差を発生させることになるのだが、この圧力差により前記吸気口１４の内側にその外側に形成されるガスが容易に吸入されるのである。
【００３７】
従って、台所から排出されるガスが前記吸気口１４に容易に吸入されることによって、前記排気ファン１２の排出力が増強され、それによって前記フード１の排気効率が極大化されるのである。
【００３８】
並びに、前記ガイド顎２６はその形状において多様な変形が可能であり、その変形によって前記吐出口２４から排気されるガスが前記吸気口１４の外面に当接するように噴射され、前記吸気口１４に流入されるガスを活性化させて容易に吸入されるようにするのも好ましい。
【００３９】
言い換えると、前記ガイド顎２６によって前記吸気口１４の外部面に当接するようにガスを噴射させると、台所から排出されるガスが前記ガイド顎２６に噴射されるガスによって誘引され、容易に前記吸気口１４に流入されるのである。
【００４０】
従って、前記の誘引過程が分割されたガスの繰り返し的な循環により発生され、それによって前記フード１の排気効率が極大化されて、室内の環境が著しく改善されるのである。
【００４１】
〔産業上の利用可能性〕
上述したように、本発明は、台所用フードから排出される排気ガスの中の一部を分割し、その分割されたガスを吸気口側から吐出して排気を過活性化させ、フードの排気効率を極大化させる台所用排気フードを提供することによって、台所から発生されるガスを完全に排出して台所の悪臭および吸気汚染を防止し、それによって室内の空気が浄化される効果を有するのである。
【００４２】
また、本発明は、分割されたガスがダクトから吐出口側に容易に移動されるようにする台所用排気フードを提供することによって、吐出口でガスの吐出速度が上昇することになり、それによって台所から発生するガスが著しく活性化されて、フードによる排気が極大化される効果を有する。
【００４３】
また、本発明は、分割されたガスが吐出口から吸気口に水平に吐出されるようにする台所用フードを提供することによって、吸気口の周辺の圧力を上昇させて、台所から排出されるガスが迅速に吸気口に流動されるようにし、それによってフードの排気効率が極大化される効果を有する。
【図面の簡単な説明】
【図１】
図１は、本発明によるフードの斜視図である。
【図２】
図２は、本発明によるフードの側断面図である。
【図３】
図３は、本発明によるフードの使用状態を示した側面図である。
【図４】
図４は、本発明の他の実施例を示した側断面図である。
【図５】
図５は、従来のフードを示した側面図である。
【図１】
2005513407.tif 000003
【図２】
2005513407.tif 000004
【図３】
2005513407.tif 000005
【図４】
2005513407.tif 000006
【図５】
2005513407.tif 000007
【国際調査報告】
2005513407.tif 000008